(57)【要約】【課題】ジョギングに合せて試作着用ランニングを行った結果、スリムな感じでランニングが出来た布地素材のソフト感触もある背負っている備品の抵抗も少ない及びタオル地などにも変化は無い「ぶれる、ふらつき」なども少ない、が肩掛けベルトの硬さが少々あることと鉄製備品の錆びに付いては検討しなければならない。【解決手段】肩掛けベルトの硬さは新品の時の硬さであり使いこなしをする事に依ってソフト感触は取り戻せるがベルトカバーとしてソフト的な素材を追加する事も良い又鉄製の錆びに付いてはペイント塗装かビニールコーテイング表面処理を行う事が望ましい。【選択図】　図２
2004008765.tif 000002
【特許請求の範囲】
【請求項１】
ジョギングザック（１）としてリック形で背負う形式に作り上げているもので使用する範囲は主にジョギングやマラソンなどのトレーニング用とするのが狙い、ジョギングザックには収納ポケットがついておりその中に重量的な備品を入れて背負った状態でトレーニングを行う事の体力作り又は運動力を高める基礎的な身体作りの用具として要いるものでトレーニング強化に適用した運動用具作り。
【請求項２】
ジョギングザック（１）本体は比較的軽量素材を選んで検討した中から布地生地を使用することが製造していく中で加工し易く、又運動用具として手ざわりと肌ざわりが良く着用した時の感触が良好である、ザック（１）本体の表地と裏地の間には発泡シート材（６）を使用クッション性を高めている、これは背負った時に重量具が身体に「触れる」感覚を遠ざける手段である。
【請求項３】
さらにザック（１）本体裏面（背中部分に当る面）にタオル地（２９）を使用する事にしてタオル地の目的はトレーニング中の汗を吸い取らせる為のアイデアと請求項２にあるクッション性を２重にすることからジョギング量の多い人に好ましい用具に成るように仕上げる、タオル地は取りはずしが簡単に出来るように角度の部分４箇所を丸型フォック（３０）止めにしている事が「取り外し」を可能にし洗濯が出来る方法。
【請求項４】
ザック（１）には肩掛けベルト（２）や胸元ベルト（２８）に依ってある程度上部のフイットな締め付け方が出来る、更に下側では締め付けベルト（３）と共に体形に合せながら締め付け調整し身体のバランスベルトとして使用する。
【請求項５】
ジョギング　ザック（１）を着用する場合は腰ベルト（５）が一番大切な締付けベルトになる、ジョギング中にありうるザックの「ふらつき」を最小限にする事や、ザック（１）と腰ベルト（５）の安定感を保つために張りベルト（４）を加えている。
【請求項６】
ジョギングやランニングの仕方には長距離、短距離の運動方法に依って違いはあるがそれによって私用の小物備品が必要になることがある「たおる、雨合羽、サングラス、リバテープ、その他」これらを収納するポケットが付いていないとジョギングザックとしての機能効率が悪いことになるので、活動的なデザインザックにする為には機能的なポケットを取り入れた仕上げ方法。
【請求項７】
収納ポケット（７，１１，１４）３箇所に集約することにしたがその分類は、「７」雨具入れとしチャック（１０）から出し入れをする「１１」重量備品入れチャック（１２）から出し入れをする、「１４」補助ポケットに成っておりチャック（１５）から出し入れをする、補助ポケットは重量備品の追加や小物収納が出来る使い勝手ポケットに成っていて場合に依って取り外しをしたい時にはそれが可能であるように作り上げる。
【請求項８】
補助ポケット（１４）の裏側はカギホック（２２、２３）で止められているがジョギング等による「ぶれ」に対しての強化としてポケット裏側上下にマジックテープ（２４，２５，２６，２７）も使用しているので強化性はある、またジョギング等のトレーニング範囲が広い場合には一般道路のトレーニングもありうるのでそれに対する安全面を考えて蛍光色シール（１６、１７）を貼って走者の存在アピールシグナル表示方法にしている。
【請求項９】
ジョギングザック（１）運動用具には体力強化を主体にした考え方から作り出されたものであるからある程度の重さの物「備品」を背負いながらトレーニングをするところに意味がありそのトレーニング用具としてザック（１）を使う、備品（３２，３３，３４）とは鉄製の物で３段階に重量（ｋｇ）を区分している。
【請求項１０】
備品を３段階に区分すると言う事は重量（ｋｇ）を３通りに分けると言う意味である例えばザックの重さ（５００ｇ）＋備品の重さ（５００ｇ）＝総重量（１０００ｋｇ）に成り背負ってトレーニングする重さと言う事です、ですから鉄製備品の重量基準を定める例えば７００ｇ１４００ｋｇ２０００ｋｇとすれば体力差に依って備品重量を選ぶ事が出来る。
【請求項１１】
体力差に依る鉄製備品の使用量（ｋｇ）は３通りの組み合わせに依って重量を変える事が出来るが試作トレーニングに寄ると２５００ｋｇ〜３０００ｋｇ当たりが一般向け体力者総重量の目安範囲と推測される。
【請求項１２】
鉄製には錆処理方法が必要に成るがペイント塗装やビニール系コウテイングかその他の保護材を利用する事が望ましいその場合に重量（ｋｇ）ごとの色別区分にすると重さの見分けがし易くなる製造方法。
【請求項１３】
ジョギングザックはトレーニング以外にも使用されることもありうるがザック（１）本体の保管方法としてはザック最上部にあるフック（２０）を使って掛ける事が汗ばんでいる物干しに成る。
【発明の詳細な説明】
【０００１】
【発明の属する技術分野】本発明は、ジョギングザック（１）としてリック形で背負う形式に作り上げているもので使用する範囲は主にジョギングやマラソンなどのトレーニング用とするのが狙い、ジョギングザックには収納ポケットが付いておりその中に重量的な備品を入れて背負った状態でトレーニングを行うことの体力作り又は運動力を高める基礎的な身体作りの用具として要いるものでトレーニング強化に適用した運動用具作り。
ジョギングザック（１）本体は比較的軽量素材を選んで検討した中から布地生地を使用することが製造していく中で加工し易く、又運動用具として手触りと肌触りがよく着用した時の感触が良好である、ザック（１）本体の表地と裏地の間には発泡シート材（６）を使用クッション性を高めている、これは背負った時に重量具が身体に「触れる」感覚を遠ざける手段である。
さらにザック（１）本体裏面（背中部分に当る面）にタオル地（２９）を使用する事にしてタオル地の目的はトレーニング中の汗を吸い取らせる為のアイデアと請求項２にあるクッション性を２重にすることからジョギング量の多い人に好ましい用具と成るように仕上げる、タオル地の取り外しが簡単に出来る様に角度の部分４箇所を丸型フォック（３０）止めにしている事が「取り外し」を可能にし洗濯が出来る方法。
ザック（１）には肩掛けベルト（２）や胸元ベルト（２８）に依ってある程度上部のフイットな締め付け方が出来る、更に下側では締め付けベルト（３）と共に体形に合せながら締め付け調整し身体のバランスベルトとして使用する。
ジョギングザック（１）を着用する場合は腰ベルト（５）が一番大切な締め付けベルトになる、ジョギング中にありうるザックの「ふらつき」を最小限にする事やザック（１）と腰ベルト（５）の安定感を保つために張りベルト（４）を加えている。
ジョギングやランニングの仕方には長距離、短距離の運動方法に依って違いはあるがそれによって私用の小物品が必要に成る事がある「たおる、雨合羽、サングラス、リバテープ、その他」これらを収納するポケットが付いていないとジョギングザックとしての機能効率が悪いことになるので、活動的なデザインザックにする為には機能的なポケットを取り入れた仕上げ方法。
収納ポケット（７、１１、１４）３箇所に集約することにしたがその分類は、「７」雨具入れとしてチャック（１０）から出し入れをする「１１」重量備品入れチャック（１２）から出し入れをする「１４」補助ポケットに成っておりチャック（１５）から出し入れをする、補助ポケットは重量備品の追加や小物収納が出来る使い勝手ポケットに成っていて場合に依って取り外しをしたい時にはそれが可能であるように作り上げる。
補助ポケット（１４）の裏側はカギホック（２２、２３）で作られているがジョギング等による「ぶれ」に対しての強化としてポケット裏側上下にマジックテープ（２４，２５，２６，２７）も使用しているので強化性はある、またジョギング等のトレーニング範囲が広い場合には一般道路のトレーニングも有りそれに対する安全面を考えて蛍光色シール（１６，１７）を貼って走者の存在アピールシグナル表示にしている。
ジョギングザック（１）運動用具には体力強化を主体にした考え方から作り出された物であるからある程度の重さの物「備品」を背負いながらトレーニングをするところに意味がありそのトレーニング用具としてザック（１）を使う、備品（３２，３３，３４）とは鉄製の物で３段階に重量（ｋｇ）を区分している。
備品を３段階に区分すると言う事は重量（ｋｇ）を３通りに分けると言う意味である例えばザックの重さ（５００ｇ）＋備品の重さ（５００ｇ）＝総重量（１０００ｋｇ）に成り背負ってトレーニングする重さと言う事です、ですから鉄製備品の重量基準を定める例えば７００ｇ１４００ｋｇ２０００ｋｇとすれば体力差に依って備品重量を選ぶことが出来る。
体力差に依る鉄製備品の使用量（ｋｇ）は３通りの組み合わせに依って重量を変える事が出来るが試作トレーニングに寄ると２５００ｋｇ〜３０００ｋｇ当たりが一般向け体力者総重量の目安範囲と推測される。
鉄製には錆処理方法が必要に成るがペイント塗装やビニール系コウテイングかその他の保護材を利用する事が望ましいその場合に重量（ｋｇ）ごとの色別区分にすると重さの見分けがし易くなる製造方法。
ジョギングザックはトレーニング以外に使われることもありうるがザック（１）本体の保管方法としてはザック最上部にあるフック（２０）を使って掛ける事が汗ばんでいる物干しに成る。
【０００２】
【従来の技術】
ＩＰＣ［Ａ４５Ｆ３／０４］までの検索結果同類開発登録無し
【０００３】
【発明が解決しようとする課題】
最近多く見られるようになったジョギングとマラソントレーニング姿、中夜とわず運動広場や車道沿いを走り続ける人達が年間を通して大変多くなった事が目に付くそんな中にも気付くのがリックサックを背負いながら走り込んでいることである、その中身を聞いてみると砂袋をリックの中に入れていると言うそれは体力や身体を鍛えるためだと言っている足腰の強化と身体全体の強化運動に良く使用する人が増えたと言う、リックサックは必要でないポケットや締めバンド類が多いので「うるさい」音が出るまた前後左右にグラグラ動くのでいまいち工夫された物があればいいんだよと聞いたことが発想のきっかけである。
【０００４】
【課題を解決するための手段】
運動向きのリックに作る事を第一ポイントにし身体に合ったものを作る発想から始めるとトレーニングする為に最小限必要な小物入れポケット、ある程度の重さを背追う為のポケットそして「ふらつき」を無くせる方法でソフト感触のある運動用具を求めていることに気付くと共に夜間のトレーニングに対して走者の存在アピールが出来る製造方法。
【０００５】
【発明の実施の形態】
発明の実施の形態を実施例にもとずいて図面を参照にして説明する。
図１は正面図である、ジョギングザック１はリック形で背負う形式の物である使用する範囲は主にジョギングやマラソンのトレーニング用であり、身体にフイット感覚をもたせる為に締め付けベルト３と胸元ベルト２８それに腰ベルト５に依って調整しながら使用する方法でベルト４に付いては「ふらつき」を少なくすることが出来る運道具である。
【０００６】
図２は断面図であり、ザック１本体を軽量素材で検討していった結果布地素材が加工し易く手ざわりと肌ざわりの良いことから試作の実施にしたものである。
【０００７】
図３は立体図でポケットは３箇所７、１１、１４どれもチャック１０、１２、１５の開閉式、但しポケット１４は取り外しタイプにしている、またポケット１４表側にランニング中の存在アピールが出来るように蛍光色シール１６を貼り合わせているポケット１４をはずした場合はザック本体にも蛍光色シール１７を貼り合わせている製造方法。
【０００８】
図４はポケット１１、１４に備品（３４，３２）を入れる状態を表したものであるポケット１１が備品を入れる主なところと成るがポケット１４は追加備品の投入も出来る補助的な役割りや小物入れ等オールマイテーな使い方に成る。
【０００９】
図５はポケット１４を取り外した場合の表側裏側の状態を表しているものでカギフォック２２、２３が右左２個、それにマジックテープ材２４、２５、２６、２７を上下に縫い込んである、また腰ベルト５を安定させる為にザック１下部分を折り返し縫い１８にしておりベルト５の抜き出し可能にしてある製造方法。
【００１０】
図６はザック１の裏側を示したものでタオル地２９を貼り合せ式にしているが取り外しが出来る方法で検討しコウナー部４箇所を丸型フォック３０止めにしたもの衛生面を考えて、汗ばんだザック１に付いては洗濯の出来る方向で進めた事から取り外しの出来る物にと変わった。
【００１１】
図７はジョギングザックポケット１１またはポケット１４に収納させる備品を表したもので重量のイメージから例えば２０００ｋｇの物を作るならば１０ｍｍの鉄板２枚合せにし長さ１５０ｍｍ×巾９０ｍｍ程の物で重量感覚は十分出来る。
【００１２】
【発明の効果】
市販されているリックサックとは違いの大きい物に成っている、ジョギングザックは運道具として開発を進めた物であり余分なポケットや物入れと音の出る物をはぶきザックの軽量化及び各ベルト３、４、５、２８の締め付けに依って身体に密着させる事が出来た、又鉄製備品を使用する事に依って背中が大きく膨れる事が無くスリムな状態でトレーニングが楽しめる様に成る。
【図面の簡単な説明】
【図１】ジョギングザックを示した正面図である。
【図２】ジョギングザック断面図である。
【図３】ジョギングザック立体図である。
【図４】備品投入要領形態を示したものである。
【図５】補助ポケットをはずした場合の形態図である。
【図６】ザック裏側のタオル地を取れはずした図である。
【図７】備品を３段階に区分したイメージ図である。
【符号の説明】
１．ザック本体　　　　　　　　１８．ベルト押さえ
２．肩掛けベルト　　　　　　　１９．丸型フォック
３．締め付けベルト　　　　　　２０．フック
４．張りベルト　　　　　　　　２１．ふちどり縫い
５．胴体ベルト　　　　　　　　２２．カギフォック（めす）
６．発泡シート材　　　　　　　２３．カギフォック（おす）
７．ポケット　　　　　　　　　２４．マジックテープ（めす）
８．チャック　　　　　　　　　２５．マジックテープ（おす）
９．丸型フォック　　　　　　　２６．マジックテープ（めす）
１０．風防　　　　　　　　　　２７．マジックテープ（おす）
１１．備品ポケット　　　　　　２８．胸元ベルト
１２．チャック　　　　　　　　２９．タオル地
１３．腰ベルト　　　　　　　　３０．丸型フォック
１４．補助ポケット　　　　　　３１．タオル地縫いしろ
１５．チャック　　　　　　　　３２．小重量（ｋｇ）備品
１６．蛍光色シール　　　　　　３３．中重量（ｋｇ）備品
１７．ザック蛍光シール　　　　３４．大重量（ｋｇ）備品
【図１】
2004008765.tif 000003
【図２】
2004008765.tif 000004
【図３】
2004008765.tif 000005
【図４】
2004008765.tif 000006
【図５】
2004008765.tif 000007
【図６】
2004008765.tif 000008
【図７】
2004008765.tif 000009